(57)【要約】【課題】認証の際にユーザが感じる待ち時間を短縮する。【解決手段】認証システムは、ユーザ２０により携帯される携帯タグ３０、携帯タグ３０の認証を行うコントローラ４０および所定の検知範囲内に存在する人を検知する人感センサ５０を備える。コントローラ４０は、通常はスリープ状態であるとともに、人感センサ５０により人が検知されるとスリープ状態から復帰して起動するようになっている。コントローラ４０は、携帯タグ３０から送信されるビーコン信号を受信すると携帯タグ３０との間で通信を行うことによりビーコン信号を送信した携帯タグ３０の認証を行うための認証用処理（接続処理および認証処理）を実行する。コントローラ４０は、認証用処理において携帯タグ３０の認証ができた場合、コントローラ４０の操作領域に対するタッチ操作が行われると、携帯タグ３０の認証ができた旨を報知する正常時報知処理を実行する。【選択図】図３
2020101035.tif 000002
【特許請求の範囲】
【請求項１】
ユーザにより携帯される携帯端末と前記携帯端末の認証を行うコントローラとを備えた認証システムであって、
所定の検知範囲内に存在する人を検知する人検知部を備え、
前記携帯端末は、前記コントローラとの間で通信を行うとともに認証を要求する認証要求信号を送信する端末側通信部を備え、
前記コントローラは、
前記携帯端末との間で通信を行うコントローラ側通信部と、
ユーザにより操作可能な操作領域と、
を備え、
通常はスリープ状態であるとともに、前記人検知部により人が検知されると前記スリープ状態から復帰して起動するようになっており、
起動した状態で前記認証要求信号を受信すると、前記コントローラ側通信部を介して前記携帯端末との間で通信を行うことにより前記認証要求信号を送信した前記携帯端末の認証を行うための認証用処理を実行し、
前記認証用処理において前記携帯端末の認証ができた場合、前記操作領域に対する所定の操作が行われると、前記携帯端末の認証ができた旨を報知する正常時報知処理を実行する認証システム。
【請求項２】
前記コントローラは、
前記認証用処理において前記携帯端末の認証ができなかった場合、前記操作領域に対する所定の操作の有無に関係なく、前記携帯端末の認証ができなかった旨を報知する異常時報知処理を実行する請求項１に記載の認証システム。
【請求項３】
前記コントローラは、搭載された電池から電力供給を受けて動作する電池機器であり、
前記人検知部は、赤外線により人を検知する人感センサであり、
前記人感センサは、前記コントローラに搭載された電池から電力供給を受けて動作するようになっている請求項１または２に記載の認証システム。
【請求項４】
前記認証用処理には、前記認証要求信号を送信した前記携帯端末が予め登録されたものであるか否かを判定する第１判定処理と、前記認証要求信号を送信した前記携帯端末の真贋を判定する第２判定処理と、前記第２判定処理において前記携帯端末から送信される信号の電波強度を測定する電波強度測定処理と、が含まれており、
前記コントローラは、
前記第１判定処理により前記携帯端末が予め登録されたものであると判定された状態で前記操作領域に対する長押し操作が開始されると、前記第２判定処理および前記電波強度測定処理を実行し、
前記第２判定処理により前記携帯端末が本物であると判定されるという条件および前記電波強度測定処理により測定された前記電波強度が所定の判定閾値以上であるという条件の双方が満たされた場合、前記操作領域に対する長押し操作が終了すると、前記正常時報知処理を実行する請求項１から３のいずれか一項に記載の認証システム。
【発明の詳細な説明】
【技術分野】
【０００１】
本発明は、ユーザにより携帯される携帯端末と当該携帯端末の認証を行うコントローラとを備えた認証システムに関する。
【背景技術】
【０００２】
例えば店舗や住宅などの防犯対策に用いられるセキュリティシステム（例えば特許文献１参照）では、ユーザの認証を行うための認証システムが必要となる。従来、認証システムの一つとして、ユーザに携帯タグなどの携帯端末を所持させておくことにより、ユーザによるタッチ操作だけで認証を可能にするものがある。このような認証システムは、ユーザにより携帯される携帯タグと、その携帯端末の認証を行うコントローラと、から構成される。
【０００３】
上記構成の認証システムでは、図５および図６に示すような流れで認証が行われる。すなわち、この場合、携帯タグは、ＢＬＥ（Bluetooth Low Energy）規格に準拠したものであり、定期的、例えば１秒毎に、ビーコン信号を送信するようになっている。なお、Bluetoothは、登録商標である。一方、コントローラは、通常はスリープ状態となっている。コントローラは、ユーザによりタッチ操作可能な操作領域を有しており、その操作領域に対してタッチ操作が行われると、ウェイクアップ（起動）する。
【０００４】
コントローラは、起動後、携帯タグから送信されるビーコン信号を受信すると接続処理を実行する。接続処理は、携帯タグとの間で相互通信を行うことにより、ビーコン信号を送信した携帯タグが、自装置にペアリングされた機器、つまり登録された機器であるか否かを判断する処理である。タッチ操作を行った人（ユーザ）が携帯タグを所持していない場合、または登録されていない携帯タグを所持している場合、図５に示すように、接続処理の結果がＮＧの判定となり、認証ＮＧ時の処理が実行される。認証ＮＧ時の処理としては、例えば「ピピピピ」といったエラー音を出力すること、ＮＧの旨のメッセージを出力すること、などが挙げられる。
【０００５】
一方、ユーザが登録されている携帯タグを所持している場合、図６に示すように、コントローラは、接続処理の結果、ビーコン信号を送信した携帯タグがペアリングされた機器であると判断し、認証処理を実行する。認証処理は、携帯タグとの間で相互通信を行うことにより、携帯タグの認証、つまり携帯タグの真贋判定を行う処理である。コントローラは、認証処理の結果、ビーコン信号を送信した携帯タグの認証が正常に完了した場合、つまり認証ＯＫであった場合、認証ＯＫ時の処理を実行する。認証ＯＫ時の処理としては、防犯を解除するとともに、その旨のメッセージなどを出力してユーザに報知するといった処理が挙げられる。
【先行技術文献】
【特許文献】
【０００６】
【特許文献１】特開２０１３−６８０２６号公報
【発明の概要】
【発明が解決しようとする課題】
【０００７】
上記した従来の認証システムでは、タッチ操作されるまではコントローラがスリープ状態になっているともに、認証に際してコントローラと携帯タグとの間で相互通信が行われることから、タッチ操作が行われた時点から認証ＮＧとなる時点までに１〜２秒程度を要するとともに、タッチ操作が行われた時点から認証ＯＫとなる時点までに２〜３秒程度を要する。
【０００８】
つまり、従来の認証システムでは、タッチ操作が行われた時点から認証に関する処理が完了する時点までに、最大で３秒程度の比較的長い時間を要していた。タッチ操作が行われた時点から認証に関する処理が完了する時点までの間、ユーザは、処理が終わるのをただ待つだけであり、このような時間については、単なる待ち時間と感じることになる。このような待ち時間は、ユーザの利便性を考えると、極力短いほうが望ましい。
【０００９】
本発明は上記事情に鑑みてなされたものであり、その目的は、認証の際にユーザが感じる待ち時間を短縮することができる認証システムを提供することにある。
【課題を解決するための手段】
【００１０】
前述した従来の認証システムでは、ユーザによるタッチ操作を必要とすることなく、ビーコン信号がコントローラに到達可能となる範囲に携帯タグを所持したユーザが到達すると、自動的に認証を行うとともに防犯のセットや解除を行うようにすることも可能である。しかし、従来の認証システムでは、次のような理由から、ユーザによるタッチ操作などの所定の操作を必須としている。
【００１１】
すなわち、上述したように、ユーザによる所定の操作を必要とすることなく自動的に防犯のセットや解除を実施するような構成では、ユーザが意識することなく、認証、ひいては防犯のセットや解除が実行されてしまう。そうすると、認証システムまたはセキュリティシステムに何らかの不具合が生じており、正常に機能しなくなっている場合であっても、ユーザは、そのような異常に気付き難くなるおそれがある。
【００１２】
これに対し、ユーザに所定の操作を行わせるようにすれば、ユーザは防犯のセットや解除を意識して実行することができる。そのため、例えばユーザが防犯をセットするという認識で所定の操作を行ったにもかかわらず、システム側にて防犯をセットする際に実施されるべき所定の動作（例えば、防犯をセットした旨のメッセージなどの発信など）が実施されなければ、ユーザは、自身の認識とシステム側の認識が異なることに気付き、システムに何らかの不具合が生じていることが分かる。このように、認証システムでは、ユーザとシステム側の認識合わせのために、ユーザによる所定の操作を必須としている。このような事情から、以下において説明する各請求項に記載の認証システムでも、ユーザによる所定の操作を必須としている。
【００１３】
請求項１に記載の認証システムは、ユーザにより携帯される携帯端末と、その携帯端末の認証を行うコントローラと、を備える。携帯端末は、コントローラとの間で通信を行うとともに認証を要求するための認証要求信号を送信する端末側通信部を備える。コントローラは、携帯端末との間で通信を行うコントローラ側通信部と、ユーザにより操作可能な操作領域と、を備える。この場合、認証システムは、所定の検知範囲内に存在する人を検知する人検知部を備える。そして、コントローラは、通常はスリープ状態であるとともに、人検知部により人が検知されるとスリープ状態から復帰して起動するようになっている。上記構成によれば、ユーザ（人）が検知範囲内に入ると、その時点でコントローラは、スリープ状態から復帰する。
【００１４】
このようにスリープ状態から復帰して起動した状態で、携帯端末から認証要求信号が送信されると、コントローラは、その認証要求信号を受信することができる。コントローラは、認証要求信号を受信すると、コントローラ側通信部を介して携帯端末との間で通信を行うことにより認証要求信号を送信した携帯端末の認証を行うための認証用処理を実行する。コントローラは、認証用処理において携帯端末の認証ができた場合、操作領域に対する所定の操作が行われると、携帯端末の認証ができた旨を報知する正常時報知処理を実行する。
【００１５】
上記構成において、認証用処理としては、従来技術における処理と同様の処理を採用することができる。そして、上記構成では、認証に要する時間は、コントローラが認証要求信号を受信した時点から正常時報知処理が実行された時点までの時間となる。したがって、上記構成によっても、認証に要する時間は、従来技術における認証に要する時間と概ね同様の時間となる。ただし、この場合、認証の際にユーザが感じる待ち時間を大幅に短縮することができる。その理由は、以下の通りである。
【００１６】
上記構成において、ユーザ（人）が単なる待ち時間と感じる時間は、ユーザが所定の操作を行った時点から正常時報知処理が実行された時点までの時間に相当する。本発明者は、このような人の主観的な待ち時間に着目し、様々な考察を重ねた結果、前述したような構成を導き出している。そして、上記構成では、人検知部により人が検知された時点でコントローラがスリープ状態から復帰して起動しているため、コントローラは、ユーザにより所定の操作が行われる時点よりも前に、認証用処理を終えることができる。
【００１７】
そのため、コントローラは、認証用処理において携帯端末の認証ができた場合、ユーザにより所定の操作が行われると、直ちに正常時報知処理を実行することができる。言い換えると、上記構成では、ユーザによる所定の操作の実施に先立って、コントローラが自動的に起動するとともに認証用処理を開始して実行するようになっている。このように、上記構成では、比較的長い時間を要する認証用処理を先に進めておくことが可能となることから、ユーザにより所定の操作が行われた時点から正常時報知処理が実行された時点までの時間、つまりユーザが単なる待ち時間と感じる時間は、ほとんどゼロとなる。したがって、上記構成の認証システムによれば、従来の認証システムに比べ、認証の際にユーザが感じる待ち時間を大幅に短縮することができるという優れた効果が得られる。
【００１８】
請求項２に記載の認証システムでは、コントローラは、認証用処理において携帯端末の認証ができなかった場合、操作領域に対する所定の操作の有無に関係なく、携帯端末の認証ができなかった旨を報知する異常時報知処理を実行する。このような構成によれば、ユーザが携帯端末を所持していない場合、予め登録されていない携帯端末または正規のもの以外の携帯端末を所持している場合などには、操作領域に対する所定の操作が行われる前に認証ができなかった旨つまり認証ＮＧであることをユーザに報知することができる。つまり、上記構成によれば、認証ＮＧのケースにおける認証システムの反応、つまりレスポンスを一層向上することができる。
【００１９】
従来の認証システムでは、正規のもの以外の携帯端末、つまり偽の携帯端末を所持した悪意のある第三者がコントローラに近付いてきた場合でも、タッチ操作が行われない限り、認証ＮＧである旨は報知されないようになっていたため、そのような第三者に対する威嚇効果が不十分であった。これに対し、上記構成によれば、このような悪意のある第三者が検知範囲内に入ると、自動的に認証ＮＧである旨が報知される。したがって、上記構成の認証システムによれば、悪意のある第三者に対し、自動的に威嚇動作を行うことが可能となり、セキュリティ性を向上させることができる。
【００２０】
請求項３に記載の認証システムでは、コントローラは、搭載された電池から電力供給を受けて動作する電池機器である。また、この場合、人検知部は、赤外線により人を検知する人感センサであり、その人感センサは、コントローラに搭載された電池から電力供給を受けて動作するようになっている。このような構成によれば、人検知部として、広く普及している一般的な人感センサを採用することができる。また、人感センサは、赤外線を用いた構成であるが故に、その消費電力が低く抑えられている。したがって、上記構成によれば、電池機器であるコントローラの電池の消耗を抑えること、ひいては電池交換の頻度を少なくすることができるという効果が得られる。
【００２１】
上述した認証システムでは、例えば携帯端末を所持した正規のユーザがコントローラとの通信が可能な範囲に居る状況で、そのユーザとは別の人が、コントローラの操作領域に対して、例えばいたずらなどの目的で所定の操作を行った場合、正規のユーザではないにもかかわらず、認証ができてしまう、つまり認証ＯＫとなってしまうおそれがある。このように、上述した認証システムでは、特定の状況下におけるセキュリティ性について改善の余地がある。
【００２２】
請求項４に記載の認証システムでは、認証用処理には、認証要求信号を送信した携帯端末が予め登録されたものであるか否かを判定する第１判定処理と、認証要求信号を送信した携帯端末の真贋を判定する第２判定処理と、第２判定処理において携帯端末から送信される信号の電波強度を測定する電波強度測定処理と、が含まれている。この場合、コントローラは、第１判定処理により携帯端末が予め登録されたものであると判定された状態で操作領域に対する長押し操作が開始されると、第２判定処理および電波強度測定処理を実行する。
【００２３】
コントローラは、第２判定処理により携帯端末が本物であると判定されるという条件および電波強度測定処理により測定された電波強度が所定の判定閾値以上であるという条件の双方が満たされた場合、操作領域に対する長押し操作が終了すると、正常時報知処理を実行する。長押し操作は、操作対象を押してすぐ離すのではなく一定時間以上押し続ける操作のことである。したがって、一般的な人（ユーザ）は、歩きながら長押し操作を行うことはできず、長押し操作を行う際には、必ずコントローラの近傍（コントローラに正対する位置など）において停止することになる。
【００２４】
そこで、上記判定閾値は、携帯端末を所持したユーザがコントローラの近傍に存在する場合における電波強度と同程度の値に設定すればよい。このようにすれば、正規のユーザが操作領域に対して長押し操作を行った場合、上記各条件の双方が満たされることになり、認証が正常に完了する。一方、正規のユーザがコントローラとの通信が可能な範囲に居る状況で、そのユーザとは別の人が操作領域に対して長押し操作を行った場合、電波強度が判定閾値未満になるため、誤って認証ＯＫとなることはない。
【００２５】
また、仮に、正規のユーザがコントローラの近傍を通過するように移動している際、そのユーザとは別の人が操作領域に対して長押し操作を行った場合でも、長押し操作が終了するまでの間に、正規のユーザはコントローラの近傍から離れるように移動していくことから電波強度が判定閾値未満となるため、誤って認証ＯＫとなることはない。つまり、この場合、操作が瞬時に終わらず、操作に一定時間を要する長押し操作をユーザに行わせるようにしていることから、上述したようなケースにおいて、正規のユーザがコントローラの近傍から離れるまでの時間を稼ぐことが可能となり、その結果、誤認証の発生を抑制することができるようになっている。
【００２６】
この場合、認証用処理には、元々認証のために行われる第１判定処理および第２判定処理に加え、電波強度測定処理が含まれている。上記構成では、このように追加されている電波強度測定処理の分だけ、認証用処理に要する時間が長くなる。しかし、この場合、操作領域に対する所定の操作は、長押し操作になっている。そのため、上記構成によれば、ユーザが操作領域を一定時間以上押し続ける長押し操作を行っている最中に、コントローラは、第２判定処理および電波強度測定処理などの各処理を実行することができる。
【００２７】
そして、この場合、ユーザが単なる待ち時間と感じる時間は、ユーザによる長押し操作が終了した時点から正常時報知処理が実行された時点までの時間に相当する。したがって、上記構成によっても、ユーザが単なる待ち時間と感じる時間は、ほとんどゼロとなる。したがって、上記構成の認証システムによれば、認証の際にユーザが感じる待ち時間を大幅に短縮するとともに、さらに、特定の状況下におけるセキュリティ性を向上することができるという優れた効果が得られる。
【図面の簡単な説明】
【００２８】
【図１】第１実施形態に係る認証システムの構成を模式的に示す図
【図２】第１実施形態に係る携帯タグおよびコントローラの構成を模式的に示す図
【図３】第１実施形態に係る認証の流れを説明するための図
【図４】第２実施形態に係る認証の流れを説明するための図
【図５】従来の認証システムによる認証の流れを説明するための図その１
【図６】従来の認証システムによる認証の流れを説明するための図その２
【発明を実施するための形態】
【００２９】
以下、複数の実施形態について図面を参照して説明する。なお、各実施形態において実質的に同一の構成には同一の符号を付して説明を省略する。
（第１実施形態）
以下、第１実施形態について図１〜図３を参照して説明する。
【００３０】
＜認証システム１０の全体構成＞
図１に示す認証システム１０は、例えば住宅の防犯対策に用いられるセキュリティシステムにおいて用いられるものであり、ユーザ２０により携帯される携帯端末である携帯タグ３０と、その携帯タグ３０の認証を行うコントローラ４０と、人感センサ５０と、を備える。図１では、携帯タグ３０を所持するユーザ２０が１人だけ図示されているが、通常、このようなセキュリティシステムでは、複数のユーザ２０による利用が想定されている。そのため、この場合、携帯タグ３０も複数準備されており、それら複数の携帯タグ３０は、複数のユーザ２０のそれぞれが所持している。
【００３１】
携帯タグ３０はＢＬＥ規格に準拠したものであり、定期的、例えば１秒毎に、ビーコン信号を送信するようになっている。携帯タグ３０から送信されるビーコン信号には、その携帯タグ３０を識別するための識別情報などが含まれている。この場合、携帯タグ３０およびコントローラ４０には、いずれも電池が搭載されており、携帯タグ３０およびコントローラ４０は、搭載された電池から電力供給を受けて動作する電池機器となっている。
【００３２】
この場合、人感センサ５０は、コントローラ４０に取り付けられている。人感センサ５０は、赤外線により人を検知するものであり、コントローラ４０に搭載された電池から電力供給を受けて動作する。人感センサ５０は、所定の検知範囲内に存在する人を検知するものであり、人検知部に相当する。上記検知範囲としては、コントローラ４０を中心とした所定範囲に設定すればよいが、例えば、携帯タグ３０とコントローラ４０との通信可能な範囲より若干広い範囲に設定しておくとよい。なお、人感センサ５０は、コントローラ４０とは、別の箇所に取り付けられていてもよい。
【００３３】
上記構成において、コントローラ４０は、通常はスリープ状態となっている。コントローラ４０は、人感センサ５０により人が検知されると、スリープ状態から復帰してウェイクアップ（起動）する構成となっている。また、コントローラ４０は、ユーザにより操作可能な操作領域４１を有している。この場合、携帯タグ３０の認証を行う際、操作領域４１に対してユーザが所定の操作を行う必要があるシステムとなっている。なお、本実施形態では、上記所定の操作は、タッチ操作となっている。
【００３４】
＜携帯タグ３０およびコントローラ４０の構成＞
上述した携帯タグ３０およびコントローラ４０は、図２に示すような機能を有する構成となっている。なお、これらの各機能は、ソフトウェアにより実現してもよいし、ハードウェアにより実現してもよい。すなわち、携帯タグ３０は、制御部３１、操作部３２および通信部３３を備えている。制御部３１は、携帯タグ３０による動作全般を制御する。携帯タグ３０は、図示しない操作ボタンを備えており、操作部３２は、このような操作ボタンに対する操作を受け付け、その結果を表す操作受付信号を制御部３１へ出力する。制御部３１は、操作受付信号が与えられると、それに応じた各種の処理を実行する。
【００３５】
通信部３３には、制御部３１から、自端末を識別するための識別情報など、コントローラ４０に対して送信する各種の情報が与えられる。通信部３３は、コントローラ４０に対し、無線通信により、これら各種の情報が含まれたビーコン信号を送信する。この場合、ビーコン信号が認証要求信号に相当する。なお、識別情報は、自端末を識別するための情報であり、例えば複数の携帯タグ３０のそれぞれに対して個別に割り当てられたＩＤなどである。このように、通信部３３は、コントローラ４０との間で通信を行うとともに認証を要求する認証要求信号を送信するものであり、端末側通信部に相当する。
【００３６】
コントローラ４０は、制御部４２、操作部４３および通信部４４を備えている。制御部４２は、コントローラ４０による動作全般を制御する。コントローラ４０は、図示しない操作ボタンを備えており、操作部４３は、このような操作ボタンに対する操作を受け付け、その結果を表す操作受付信号を制御部４２へ出力する。制御部４２は、操作受付信号が与えられると、それに応じた各種の処理を実行する。通信部４４は、携帯タグ３０から無線通信を介して送信されるビーコン信号を受信し、その受信したビーコン信号を制御部４２へ出力する。通信部４４は、携帯タグ３０との間で通信を行うものであり、コントローラ側通信部に相当する。
【００３７】
制御部４２は、記憶部４５、認証部４６および報知部４７を備えている。記憶部４５には、各携帯タグ３０の識別情報などが予め記憶されている。認証部４６には、通信部４４により受信されるビーコン信号、人感センサ５０による人の検知結果を表す信号、操作領域４１に対するタッチ操作の有無を表す信号が与えられている。認証部４６は、これら各信号、記憶部４５に記憶された各種の情報などに基づいて、ビーコン信号を送信した携帯タグ３０について認証可能であるか否か、つまり認証ＯＫであるか、認証ＮＧであるかを判断する。
【００３８】
この場合、認証部４６は、ビーコン信号を受信すると、通信部４４を介して携帯タグ３０との間で通信を行うことにより、ビーコン信号を送信した携帯タグ３０の認証を行うための認証用処理を実行する。認証用処理には、ビーコン信号を送信した携帯タグ３０が予め登録されたものであるか否かを判定する接続処理と、ビーコン信号を送信した携帯タグ３０の真贋を判定する認証処理と、が含まれている。この場合、接続処理が第１判定処理に相当し、認証処理が第２判定処理に相当する。
【００３９】
接続処理において、認証部４６は、ビーコン信号に含まれる識別情報と記憶部４５に記憶された識別情報とを照らし合わせることにより、ビーコン信号を送信した携帯タグ３０を特定し、その携帯タグ３０が予め登録されたものであるか否かを判定する。また、認証処理において、認証部４６は、通信部４４を介して携帯タグ３０との間で通信を行うことによりパスワードなどの各種情報をやり取りし、その結果に基づいて携帯タグ３０が本物であるか否かを判断する。
【００４０】
認証部４６は、認証用処理において携帯タグ３０の認証ができた場合、つまり認証ＯＫであった場合、操作領域４１に対するタッチ操作が行われると、携帯タグ３０の認証ができた旨を報知する正常時報知処理を実行する。また、認証部４６は、認証用処理において携帯タグ３０の認証ができなかった場合、つまり認証ＮＧであった場合、操作領域４１に対するタッチ操作の有無に関係なく、携帯タグ３０の認証ができなかった旨を報知する異常時報知処理を実行する。
【００４１】
次に、上記構成の作用について図３を参照しながら説明する。
［１］認証ＯＫ時の動作
上記構成の認証システム１０では、正規の携帯タグ３０を所持するユーザ２０がコントローラ４０に近付いてタッチ操作した場合、次のような流れで各処理が行われる。まず、コントローラ４０は、前述したように、通常はスリープ状態となっている。コントローラ４０は、スリープ状態のときには、携帯タグ３０からビーコン信号が送信されたとしても、何ら処理を実行することはない。
【００４２】
コントローラ４０は、人感センサ５０により人が検知されると、スリープ状態から復帰してウェイクアップ（起動）する。コントローラ４０は、起動後、携帯タグ３０から送信されるビーコン信号を受信すると、接続処理を実行する。この場合、ユーザ２０が所持する携帯タグ３０が正規のものであるため、接続処理において、ビーコン信号を送信した携帯タグ３０が予め登録されたものであると判定される（ＯＫ）。
【００４３】
コントローラ４０は、接続処理の結果が「ＯＫ」である場合、認証処理を実行する。この場合、ユーザ２０が所持する携帯タグ３０が正規のものであるため、認証処理において、ビーコン信号を送信した携帯タグ３０が本物であると判定される（ＯＫ）。コントローラ４０は、認証処理の結果が「ＯＫ」である場合、操作領域４１に対するタッチ操作が行われると、正常時報知処理を実行する。
【００４４】
正常時報知処理において、コントローラ４０は、認証ＯＫである旨のメッセージ（例えば、「防犯解除しました」など）を出力してユーザ２０に報知する。この場合、ユーザ２０により操作領域４１に対するタッチ操作が行われた時点から正常時報知処理が実行される時点までの時間は、コントローラ４０内部での動作遅延などに起因する時間だけであり、ユーザ２０の体感としては、ほぼ０秒となる。
【００４５】
［２］認証ＮＧ時（その１）
上記構成の認証システム１０では、ユーザ２０が携帯タグを所持していない場合、次のような流れで各処理が行われる。この場合、コントローラ４０は、起動後もビーコン信号を受信することがない。そこで、コントローラ４０は、起動後、所定時間が経過するまでの間にビーコン信号を受信することが無い場合、異常時報知処理を実行する。異常時報知処理において、コントローラ４０は、認証ＮＧである旨のメッセージ（例えば、「警戒中です。解除操作をしてください。」など）を出力してユーザ２０に報知する。
【００４６】
［３］認証ＮＧ時（その２）
上記構成の認証システム１０では、ユーザ２０が予め登録されていない携帯タグ３０を所持している場合またはユーザ２０が正規のもの以外の携帯タグ３０を所持している場合、次のような流れで各処理が行われる。この場合、接続処理においてビーコン信号を送信した携帯タグ３０が予め登録されたものではないと判定される（ＮＧ）か、あるいは、認証処理においてビーコン信号を送信した携帯タグ３０が偽物であると判定される（ＮＧ）。コントローラ４０は、接続処理または認証処理の結果が「ＮＧ」である場合、異常時報知処理を実行する。
【００４７】
以上説明したように、本実施形態によれば次のような効果が得られる。
本実施形態の認証システム１０における認証用処理（接続処理および認証処理）としては、従来技術における処理と同様の処理を採用することができる。そして、上記構成では、認証に要する時間は、コントローラ４０がビーコン信号を受信した時点から正常時報知処理が実行された時点までの時間となる。したがって、本実施形態の認証システム１０によっても、認証に要する時間は、従来技術における認証に要する時間と概ね同様の時間となる。ただし、本実施形態の認証システム１０によれば、認証の際にユーザが感じる待ち時間を大幅に短縮することができる。その理由は、以下の通りである。
【００４８】
本実施形態の認証システム１０において、ユーザ２０が単なる待ち時間と感じる時間は、ユーザ２０がタッチ操作を行った時点から正常時報知処理が実行された時点までの時間に相当する。また、認証システム１０では、人感センサ５０により人が検知された時点でコントローラ４０がスリープ状態から復帰して起動しているため、コントローラ４０は、ユーザ２０によりタッチ操作が行われる時点よりも前に、認証用処理（接続処理および認証処理）を進めて完了することができる。
【００４９】
そのため、コントローラ４０は、認証用処理において携帯タグ３０の認証ができた場合、ユーザ２０によりタッチ操作が行われると、直ちに正常時報知処理を実行することができる。言い換えると、上記構成では、ユーザ２０によりタッチ操作が行われるのに先立って、コントローラ４０が自動的に起動するとともに認証用処理を開始して実行するようになっている。このように、上記構成では、比較的長い時間を要する認証用処理を先に進めておくことが可能となるため、認証システム１０では、ユーザ２０によりタッチ操作が行われた時点から正常時報知処理が実行された時点までの時間、つまりユーザ２０が単なる待ち時間と感じる時間は、ほとんどゼロとなる。したがって、本実施形態の認証システム１０によれば、従来の認証システムに比べ、認証の際にユーザ２０が感じる待ち時間を大幅に短縮することができるという優れた効果が得られる。
【００５０】
また、コントローラ４０は、認証用処理において携帯タグ３０の認証ができなかった場合、タッチ操作の有無に関係なく、携帯タグ３０の認証ができなかった旨を報知する異常時報知処理を実行する。このような構成によれば、ユーザ２０が携帯タグを所持していない場合、予め登録されていない携帯タグまたは正規のもの以外の携帯タグを所持している場合などには、タッチ操作が行われる前に認証ができなかった旨つまり認証ＮＧであることをユーザ２０に報知することができる。つまり、上記構成によれば、認証ＮＧのケースにおける認証システムの反応、つまりレスポンスを一層向上することができる。
【００５１】
従来の認証システムでは、正規のもの以外の携帯タグ、つまり偽の携帯タグを所持した悪意のある第三者がコントローラに近付いてきた場合でも、タッチ操作が行われない限り、認証ＮＧである旨は報知されないようになっていたため、そのような第三者に対する威嚇効果が不十分であった。これに対し、本実施形態の構成によれば、このような悪意のある第三者が人感センサ５０の検知範囲内に入ると、自動的に認証ＮＧである旨が報知されることになる。したがって、本実施形態の認証システム１０によれば、悪意のある第三者に対し、自動的に威嚇動作を行うことが可能となり、セキュリティ性を向上させることができる。
【００５２】
本実施形態において、コントローラ４０は、搭載された電池から電力供給を受けて動作する電池機器となっている。また、この場合、人を検知する人検知部として、赤外線により人を検知する人感センサ５０が採用されており、その人感センサ５０は、コントローラ４０に搭載された電池から電力供給を受けて動作するようになっている。このような構成によれば、人検知部として、広く普及している一般的な人感センサを採用することができる。また、人感センサ５０は、赤外線を用いた構成であるが故に、その消費電力が低く抑えられている。したがって、上記構成によれば、電池機器であるコントローラ４０の電池の消耗を抑えること、ひいては電池交換の頻度を少なくすることができるという効果が得られる。
【００５３】
（第２実施形態）
以下、第２実施形態について図４を参照して説明する。
第１実施形態における認証用処理では、例えば携帯タグ３０を所持した正規のユーザ２０がコントローラ４０との通信が可能な範囲に居る状況で、そのユーザ２０とは別の人が、コントローラ４０の操作領域４１に対して、例えばいたずらなどの目的でタッチ操作を行った場合、正規のユーザではないにもかかわらず、認証ができてしまう、つまり誤って認証ＯＫとなってしまうおそれがある。このように、第１実施形態の認証用処理では、特定の状況下におけるセキュリティ性について改善の余地がある。
【００５４】
そこで、本実施形態では、第１実施形態に対し、認証用処理の内容などに変更が加えられている。本実施形態の認証用処理には、接続処理および認証処理に加え、認証処理において携帯タグ３０から送信される信号の電波強度を測定する電波強度測定処理が含まれている。この場合、コントローラ４０は、接続処理により携帯タグ３０が予め登録されたものであると判定された状態で操作領域４１に対する長押し操作が開始されると、認証処理および電波強度測定処理を実行するようになっている。
【００５５】
コントローラ４０は、認証処理により携帯タグ３０が本物であると判定されるという条件および電波強度測定処理により測定された電波強度が所定の判定閾値以上であるという条件の双方が満たされた場合、操作領域４１に対する長押し操作が終了すると、正常時報知処理を実行するようになっている。上記判定閾値は、携帯タグ３０を所持したユーザ２０がコントローラ４０の近傍（コントローラ４０に正対する位置など）に存在する場合における電波強度と同程度の値に設定される。
【００５６】
また、コントローラ４０は、認証処理により携帯タグ３０が本物であると判定されるという条件および電波強度測定処理により測定された電波強度が判定閾値以上であるという条件の少なくとも一方が満たされなかった場合、操作領域４１に対する長押し操作が終了するか否かに関係なく、異常時報知処理を実行するようになっている。なお、この場合の長押し操作は、操作対象である操作領域４１を押して（タッチして）すぐ離すのではなく一定時間以上押し続ける（タッチし続ける）操作のことである。
【００５７】
次に、上記構成の作用について説明する。
［１］認証ＯＫ時の動作
本実施形態では、正規の携帯タグ３０を所持するユーザ２０がコントローラ４０に近付いて長押し操作した場合、次のような流れで各処理が行われる。この場合も、第１実施形態と同様、コントローラ４０は、人感センサ５０により人が検知されると、スリープ状態から復帰してウェイクアップ（起動）し、携帯タグ３０から送信されるビーコン信号を受信すると接続処理を実行する。この場合、ユーザ２０が所持する携帯タグ３０が正規のものであるため、接続処理において、ビーコン信号を送信した携帯タグ３０が予め登録されたものであると判定される（ＯＫ）。
【００５８】
コントローラ４０は、接続処理の結果が「ＯＫ」である場合、操作領域４１に対する長押し操作が開始されると、認証処理および電波強度測定処理を実行する。この場合、ユーザ２０が所持する携帯タグ３０が正規のものであるとともにユーザ２０がコントローラ４０に近付いて長押し操作しているため、認証処理においてビーコン信号を送信した携帯タグ３０が本物であると判定されるという条件および電波強度測定処理により測定された電波強度が判定閾値以上であるという条件の双方が満たされる（ＯＫ）。コントローラ４０は、これらの条件の双方が満たされた場合、操作領域４１に対する長押し操作が終了すると、正常時報知処理を実行する。
【００５９】
［２］認証ＮＧ時（その１）
本実施形態において、ユーザ２０が携帯タグを所持していない場合、次のような流れで各処理が行われる。この場合、コントローラ４０は、起動後もビーコン信号を受信することがない。そこで、コントローラ４０は、起動後、所定時間が経過するまでの間にビーコン信号を受信することが無い場合、異常時報知処理を実行する。
【００６０】
［３］認証ＮＧ時（その２）
本実施形態では、ユーザ２０が予め登録されていない携帯タグを所持している場合またはユーザ２０が正規のもの以外の携帯タグを所持している場合、次のような流れで各処理が行われる。この場合、接続処理においてビーコン信号を送信した携帯タグ３０が予め登録されたものではないと判定される（ＮＧ）か、あるいは、認証処理においてビーコン信号を送信した携帯タグ３０が偽物であると判定される（ＮＧ）。コントローラ４０は、接続処理または認証処理の結果が「ＮＧ」である場合、異常時報知処理を実行する。
【００６１】
［４］認証ＮＧ時（その３）
本実施形態では、携帯タグ３０を所持した正規のユーザ２０がコントローラ４０との通信が可能な範囲に居る状況で、そのユーザ２０とは別の人が操作領域４１に対して長押し操作を行った場合、次のような流れで各処理が行われる。この場合、正規のユーザ２０がコントローラ４０の近傍に居ないため、電波強度測定処理により測定された電波強度が判定閾値未満となり、上述した各条件の少なくとも一方が満たされない（ＮＧ）。コントローラ４０は、上述した各条件の少なくとも一方が満たされなかった場合、操作領域４１に対する長押し操作が終了するか否かに関係なく、異常時報知処理を実行する。
【００６２】
以上説明したように、本実施形態の認証用処理には、認証処理において携帯タグ３０から送信される信号の電波強度を測定する電波強度測定処理が含まれている。この場合、コントローラ４０は、接続処理により携帯タグ３０が予め登録されたものであると判定された状態で操作領域４１に対する長押し操作が開始されると、認証処理および電波強度測定処理を実行する。
【００６３】
コントローラ４０は、認証処理により携帯タグ３０が本物であると判定されるという条件および電波強度測定処理により測定された電波強度が判定閾値以上であるという条件の双方が満たされた場合、操作領域４１に対する長押し操作が終了すると、正常時報知処理を実行する。この場合の長押し操作は、前述したように、操作領域４１をタッチしてすぐ離すのではなく一定時間以上タッチし続ける操作のことである。したがって、一般的な人（ユーザ）は、歩きながら長押し操作を行うことはできず、長押し操作を行う際には、必ずコントローラ４０の近傍（コントローラ４０に正対する位置など）において停止することになる。
【００６４】
そして、上記判定閾値は、携帯タグ３０を所持したユーザ２０がコントローラ４０の近傍に存在する場合における電波強度と同程度の値に設定されている。このようにすれば、正規のユーザ２０が操作領域４１に対して長押し操作を行った場合、上記各条件の双方が満たされることになり、認証が正常に完了する。一方、正規のユーザ２０がコントローラ４０との通信が可能な範囲に居る状況で、そのユーザ２０とは別の人が操作領域４１に対して長押し操作を行った場合、電波強度が判定閾値未満になるため、誤って認証ＯＫとなることはない。
【００６５】
また、仮に、正規のユーザ２０がコントローラ４０の近傍を通過するように移動している際、そのユーザ２０とは別の人が操作領域４１に対して長押し操作を行った場合でも、長押し操作が終了するまでの間に、正規のユーザ２０はコントローラ４０の近傍から離れるように移動していくことから電波強度が判定閾値未満となるため、誤って認証ＯＫとなることはない。つまり、本実施形態では、操作が瞬時に終わらず、操作に一定時間を要する長押し操作をユーザ２０に行わせるようにしていることから、上述したようなケースにおいて、正規のユーザ２０がコントローラ４０の近傍から離れるまでの時間を稼ぐことが可能となり、その結果、誤認証の発生を抑制することができるようになっている。
【００６６】
この場合、認証用処理には、元々認証のために行われる接続処理および認証処理に加え、電波強度測定処理が含まれている。本実施形態では、このように追加されている電波強度測定処理の分だけ、認証用処理に要する時間が長くなる。しかし、この場合、操作領域４１に対する所定の操作は、長押し操作になっている。そのため、本実施形態によれば、ユーザ２０が操作領域４１を一定時間以上タッチし続ける長押し操作を行っている最中に、コントローラ４０は、認証処理および電波強度測定処理などの各処理を実行することができる。
【００６７】
そして、この場合、ユーザ２０が単なる待ち時間と感じる時間は、ユーザ２０による長押し操作が終了した時点から正常時報知処理が実行された時点までの時間に相当する。したがって、本実施形態によっても、ユーザ２０が単なる待ち時間と感じる時間は、ほとんどゼロとなる。したがって、本実施形態によれば、認証の際にユーザ２０が感じる待ち時間を大幅に短縮するとともに、さらに、特定の状況下におけるセキュリティ性を向上することができるという優れた効果が得られる。
【００６８】
（その他の実施形態）
なお、本発明は上記し且つ図面に記載した実施形態に限定されるものではなく、その要旨を逸脱しない範囲で任意に変形、組み合わせ、あるいは拡張することができる。
上記実施形態で示した数値などは例示であり、それに限定されるものではない。
本発明は、セキュリティシステムに用いられる認証システム１０に限らず、ユーザにより携帯される携帯端末と携帯端末の認証を行うコントローラとを備えた認証システム全般に適用することができる。
【００６９】
携帯端末としては、携帯タグ３０に限らずともよく、例えばＩＣカードなど、様々な形態のものを用いることができる。
携帯端末とコントローラとの間における無線通信は、ＢＬＥ規格に準拠したものに限らずともよく、様々な規格の無線通信を採用することができる。
人検知部としては、人感センサ５０に限らず、所定の検知範囲内に存在する人を検知することができるものであればよく、例えばカメラ、レーザレーダ装置などを採用することもできる。
【符号の説明】
【００７０】
１０…認証システム、３０…携帯タグ、３３…通信部、４０…コントローラ、４１…操作領域、４４…通信部、５０…人感センサ。
【図１】
2020101035.tif 000003
【図２】
2020101035.tif 000004
【図３】
2020101035.tif 000005
【図４】
2020101035.tif 000006
【図５】
2020101035.tif 000007
【図６】
2020101035.tif 000008